(57)【要約】      （修正有）【課題】携帯便利且つ環境に左右されない無線充電機能付き電子ブックを提供する。【解決手段】無線充電機能付き電子ブックは、主に、本体１００には収納部が設けられ、収納部内にキャリアプレート１２０が収納され、キャリアプレートが本体に接続され、キャリアプレートに発射回路１３０を設ける。受信回路が設けられた電子装置に交流電力を発射回路により無線伝送し、受信回路の二次電池を充電して電気を蓄えて電子装置に電気を供給する。【選択図】図１Ｅ
0003169709.tif 000002
【実用新案登録請求の範囲】
【請求項１】
受信回路が設けられた少なくとも１つの電子装置に結合される無線充電機能付き電子ブックであって、
電源ユニットを有し、収納部が設けられた本体と、
前記本体に接続して前記収納部内に収納され、前記電子装置が位置決めされたキャリアプレートと、
前記キャリアプレートに設けられた少なくとも１つの発射回路とを備え、
前記電源ユニットは、前記発射回路に電気を供給し、前記発射回路により該電気を交流信号に変換するとともに、前記電子装置の受信回路に該交流信号を前記発射回路により無線伝送し、前記受信回路は、該交流信号を電気に変換して充電することができることを特徴とする無線充電機能付き電子ブック。
【請求項２】
前記発射回路は、前記電源ユニットに接続され、前記電源ユニットからの電気を交流信号に変換するとともに、該交流信号を増幅する電力増幅回路と、前記電力増幅回路に接続され、前記電力増幅回路により増幅された交流信号を前記受信回路に伝送する共振回路とを含むことを特徴とする請求項１に記載の無線充電機能付き電子ブック。
【請求項３】
前記発射回路は、さらに、前記共振回路に接続され、前記共振回路からの交流信号の大きさを検知する検知制御回路と、前記検知制御回路に接続され、設定信号を予め設定して該設定信号値を該交流信号と比較した後に周波数変調信号を生じる処理回路と、前記処理回路及び前記電力増幅回路に接続され、周波数変調信号によって周波数を変調し、且つ、前記電力増幅回路の電力を調整することによって、安定な電力となるように前記共振回路から供給された交流信号をフィードバック制御する駆動回路とを含むことを特徴とする請求項２に記載の無線充電機能付き電子ブック。
【請求項４】
前記電力増幅回路及び前記共振回路は、電力整合回路に整合されることを特徴とする請求項２に記載の無線充電機能付き電子ブック。
【請求項５】
前記電力整合回路は、少なくとも２つのＭＯＳＦＥＴからなる回路であることを特徴とする請求項４に記載の無線充電機能付き電子ブック。
【請求項６】
前記電力整合回路は、ハーフブリッジ型電力回路及びフルブリッジ型電力回路のうち一つであることを特徴とする請求項５に記載の無線充電機能付き電子ブック。
【請求項７】
前記受信回路は、前記発射回路からの交流信号を受信する誘導共振回路と、前記誘導共振回路に接続され、前記誘導共振回路により受信された交流信号を電気に変換するとともに該電気を定圧する制御回路と、前記制御回路に接続され、前記制御回路にとり変換された電気を蓄える二次電池とを含むことを特徴とする請求項１に記載の無線充電機能付き電子ブック。
【考案の詳細な説明】
【技術分野】
【０００１】
本考案は、充電装置に関し、特に、電子ブックなどの関連領域に適用できる充電装置に関するものである。
【背景技術】
【０００２】
近年、科学技術の持続的な進歩に伴い、電子製品に対する要求も一段高くなり、特に、消費型電子製品を重点として、従来の体積の大きい電子製品（例えば、光ディスクプレヤ、家庭用電話または卓上型パソコンなど）が携帯可能かつ効率の高い電子製品（例えば、マルチメディアプレヤ（MPEG Audio Layer-3;MP3）、携帯電話またはノートブックなど）にコンパクト化され、ライフスタイルがより効率的になってきた。
【０００３】
上記のマルチメディアプレヤ、携帯電話などの携帯式電子製品は、使用時に要する電気が、例えば、ニッケル水素電池やリチウム電池などの二次電池の利用が大半占められ、二次電池は、主に、充電装置により充電を行い、該充電装置は、ＡＣアダプタとプラグとを有し、ＡＣアダプタがプラグと電源コードで接続され、また、ＡＣアダプタに二次電池を収納するための充電用凹溝が設けられ、プラグが電源コンセントに差し込まれることによって、充電時に要する電圧または電流を供給するように構成されており、また、ノートブックは、ＡＣアダプタで電源コンセントに接続して、該ノートブックが必要とする電圧または電流をＡＣアダプタで供給するようになっている。しかしながら、上記の携帯式電子製品は、ＡＣアダプタまたは二次電池によって必要とする電気を供給しなければならないので、外出の際にこれらの携帯式電子製品を利用しようとする場合には、異なるＡＣアダプタまたは専用充電器を携帯しなければならなく、外出やビジネス活動の際に持ち難くなり、使用利便性が低下され、また、上記の充電装置またはＡＣアダプタは、充電に必要の電気を電源コードで該二次電池に接続して転送されるので、使用範囲が限られることになっている。
【考案の概要】
【考案が解決しようとする課題】
【０００４】
上記を鑑みて、本考案の創作者は、専念に研究や設計、組み立てをし、携帯便利且つ環境に左右されない無線充電機能付き電子ブックの提供を期することは、本考案が創作しようとする動機である。
【０００５】
本考案は、専用充電器にそれぞれ接続しなくても様々な電子製品を同時に充電可能に構成される無線充電機能付き電子ブックを提供することを主な目的とする。
【０００６】
本考案は、無線充電可能で使用範囲が限られることが避けられる目的を達成する無線充電機能付き電子ブックを提供することを次の目的とする。
【課題を解決するための手段】
【０００７】
前記目的を達成するため、本考案による無線充電機能付き電子ブックは、受信回路が設けられた少なくとも１つの電子装置に結合される無線充電機能付き電子ブックであって、電源ユニットを有し、収納部が設けられた本体と、前記本体に接続して前記収納部内に収納され、前記電子装置が位置決めされたキャリアプレートと、前記キャリアプレートに設けられた少なくとも１つの発射回路とを備え、前記電源ユニットは、前記発射回路に電気を供給し、前記発射回路により該電気を交流信号に変換するとともに、前記電子装置の受信回路に該交流信号を前記発射回路により無線伝送し、前記受信回路は、該交流信号を電気に変換して充電することができる。よって、専用充電器にそれぞれ接続しなくても様々な電子製品を同時に充電可能となり、且つ充電器で有線接続して充電しなければならないことによる使用範囲が制限される問題が避けられ、その使用利便性の効果が向上される。
【０００８】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【０００９】
【図１Ａ】本考案による無線充電機能付き電子ブックの第１実施例の構造を示す斜視図である。
【図１Ｂ】本考案による無線充電機能付き電子ブックの第１実施例の構造を示す斜視図である。
【図１Ｃ】本考案による無線充電機能付き電子ブックの第１実施例の構造を示す斜視図である。
【図１Ｄ】本考案による無線充電機能付き電子ブックの第１実施例の構造を示す斜視図である。
【図１Ｅ】本考案による無線充電機能付き電子ブックの第１実施例の構造を示す斜視図である。
【図１Ｆ】本考案による無線充電機能付き電子ブックの第１実施例の使用状態を示す図である。
【図１Ｇ】本考案による無線充電機能付き電子ブックの第１実施例を示す回路ブロック図である。
【図１Ｈ】本考案による無線充電機能付き電子ブックの第１実施例を示す回路ブロック図である。
【図１Ｉ】本考案による無線充電機能付き電子ブックの第１実施例を示す回路ブロック図である。
【図１Ｊ】本考案による無線充電機能付き電子ブックの第１実施例を示す回路ブロック図である。
【図２Ａ】本考案による無線充電機能付き電子ブックの第２実施例の構造を示す斜視図である。
【図２Ｂ】本考案による無線充電機能付き電子ブックの第２実施例の構造を示す斜視図である。
【図２Ｃ】本考案による無線充電機能付き電子ブックの第２実施例の構造を示す斜視図である。
【考案を実施するための形態】
【００１０】
＜第１実施例＞
図１Ａ〜図１Ｅは、それぞれ、本考案による無線充電機能付き電子ブックの第１実施例を示す斜視図、使用状態図及びその回路ブロック図である。図１Ａ〜図１Ｅに示すように、無線充電機能付き電子ブックは、発射回路１３０が設けられたキャリアプレート１２０が本体１００に接続され、ユーザは、受信回路２１０が設けられた電子装置２００を本体１００に位置決めすることによって、無線伝送方式で充電動作を行うことができる。
【００１１】
本体１００は、電源ユニット１１０（例えば、本体１００の専用充電電池や専用電源接続コードなど）を有し、且つ、本体１００には収納部１０１及びタッチパネル１０２が設けられ、キャリアプレート１２０が収納部１０１内に収納されるとともに、本体１００に接続してキャリアプレート１２０上に電子装置２００を位置決めさせ、且つ、キャリアプレート１２０に発射回路１３０が設けられ、電源ユニット１１０は発射回路１３０に電気を供給し、発射回路１３０により該電気を交流信号に変換するとともに、電子装置２００の受信回路２１０に該交流信号を発射回路１３０により無線で伝送し、受信回路２１０は該交流信号を電気に変換して電気を蓄えて電子装置２００に電気を供給する。
【００１２】
発射回路１３０は、電源ユニット１１０に接続する電力増幅回路１３１と、電力増幅回路１３１に接続する共振回路１３２とを有し、電力増幅回路１３１により電源ユニット１１０からの電気を交流信号に変換し、且つ該交流信号が電力増幅回路１３１により増幅された後に、増幅された交流信号を共振回路１３２により共振させ、さらに、共振回路１３２から受信回路２１０に該交流信号を伝送する（図１Ｇのように）。
【００１３】
また、発射回路１３０は、さらに、共振回路１３２に接続する検知制御回路１３３と、検知制御回路１３３に接続する処理回路１３４と、処理回路１３４及び電力増幅回路１３１に接続する駆動回路１３５とを有し、検知制御回路１３３により共振回路１３２からの交流信号の大きさを検知し、処理回路１３４は設定信号を予め設定して該設定信号を該交流信号と比較した後に周波数変調信号を生じ、駆動回路１３５は、周波数変調信号によって周波数を変調し、電力増幅回路１３１の電力を調整することによって、該交流信号が安定な電力を有するように共振回路１３２から供給された該交流信号をフィードバック制御する（図１Ｈのように）。
【００１４】
また、電力増幅回路１３１と共振回路１３２とは、いずれも電力回路であり、電力増幅回路１３１と共振回路１３２とを電力整合回路１３６に整合しても良い。電力整合回路１３６は、主に、少なくとも２つのＭＯＳＦＥＴからなる回路であり、すなわち、電力整合回路１３６は、これらのＭＯＳＦＥＴにより電気的に接続されてハーフブリッジ型電力回路（図１Ｉに示すように）又はフルブリッジ型電力回路（図１Ｊに示すように）に形成される。
【００１５】
該電子装置２００は、マルチメディアプレヤ、携帯電話などの携帯式電子製品であり、且つ、電子装置２００に設けられた受信回路２１０は、誘導共振回路２１１と、誘導共振回路２１１に接続される制御回路２１２と、制御回路２１２に接続される二次電池２１３とを有し、誘導共振回路２１１により発射回路１１０からの交流信号を受信して、誘導共振回路２１１により受信された交流信号が制御回路２１２により電気に変換されるとともに該電気を定圧して、二次電池２１３により電気を蓄えて電子装置２００に供給する。
【００１６】
本実施例では、本体１００には収納部１０１が設けられ、収納部１０１内にキャリアプレート１２０が収納され、キャリアプレート１２０上に発射回路１３０が設けられ、キャリアプレート１２０と本体１００とが枢着されることで、キャリアプレート１２０を本体１００に対し回転することができ（図１Ｂの移動方向Ａ及び図１Ｃの移動方向Ｂ）、すなわち、ユーザは、電子装置２００（例えば、携帯電話）を充電しようとする場合には、キャリアプレート１２０を本体１００に離れるように回転させることで、本体１００とキャリアプレート１２０とが開き状態となり、電子装置２００をキャリアプレート１２０に位置決めさせ、電源ユニット１１０により発射回路１３０に電気を供給して、該電気が発射回路１３０により交流信号に変換されるとともに、該交流信号を各電子装置２００の受信回路２１０に発射回路１３０の共振回路１３２により伝送し、受信回路２１０を充電し、電子装置２００に電気を供給することができ、すなわち、ユーザは、本体１００のタッチパネル１０２を操作するときと同時に、携帯式電子装置を充電でき、様々な充電器にそれぞれ接続しなくても充電可能となり、充電器で有線接続して充電しなければならないことによる使用範囲が制限される問題が避けられ、且つ、ユーザの要求に応じて開閉可能となり、携帯便利且つ収納し易い利点を有し、その使用利便性が向上される。
【００１７】
＜第２実施例＞
図２Ａ〜図２Ｃは、本考案による無線充電機能付き電子ブックの第２実施例の構造を示す斜視図である。本実施例が第１実施例と同一であり、主に、キャリアプレート１２０と本体１００とが伸縮式で結合される（例えば、普通よく見られる伸縮式カセットのように）点で異なっており、キャリアプレート１２０を押して本体１００に離れるように移動させ（図２Ａの移動方向Ｃ）、キャリアプレート１２０と本体１００とが開き状態になり、電子装置２００をキャリアプレート１２０に位置決めさせて、電子装置２００を即時に充電可能となり、使用する必要ないときに、キャリアプレート１２０を押して本体１００の方向に該キャリアプレート１２０を移動させ、キャリアプレート１２０を収納部１０１内に収納させることによって、収納し易い且つ携帯便利の利点を備える。
【００１８】
以上のように、本考案による無線充電機能付き電子ブックは、本体１００には収納部１０１が設けられ、収納部１０１内にキャリアプレート１２０が収納され、キャリアプレート１２０が本体１００に接続され、ユーザが受信回路２１０を設けた電子装置２００を充電しようとするとき、電子装置２００をキャリアプレート１２０に位置決めさせ、発射回路１３０により受信回路２１０に交流信号を無線伝送方式で発送し、受信回路２１０の二次電池２１４を充電し、電気を蓄えて電子装置２００に電気を供給することによって、充電器で有線接続しなければならないことによる使用範囲への制限の問題が避けられ、ユーザの要求に応じて開閉可能となり、携帯便利且つ収納し易い利点を有し、その使用利便性の効果が向上される。
【００１９】
以上のように単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００２０】
１００本体
１０１収納部
１０２タッチパネル
１１０電源ユニット
１２０キャリアプレート
１３０発射回路
１３１電力増幅回路
１３２共振回路
１３３検知制御回路
１３４処理回路
１３５駆動回路
１３６電力整合回路
２００電子装置
２１０受信回路
２１１誘導共振回路
２１２制御回路
２１３二次電池
Ａ〜Ｃ  移動方向
【図１Ａ】
0003169709.tif 000003
【図１Ｂ】
0003169709.tif 000004
【図１Ｃ】
0003169709.tif 000005
【図１Ｄ】
0003169709.tif 000006
【図１Ｅ】
0003169709.tif 000007
【図１Ｆ】
0003169709.tif 000008
【図１Ｇ】
0003169709.tif 000009
【図１Ｈ】
0003169709.tif 000010
【図１Ｉ】
0003169709.tif 000011
【図１Ｊ】
0003169709.tif 000012
【図２Ａ】
0003169709.tif 000013
【図２Ｂ】
0003169709.tif 000014
【図２Ｃ】
0003169709.tif 000015